(57)【要約】【課題】波長分割多重通信システムにおいて、各波長のプリエンファシスを自動で適切に行うことのできるプリエンファシス制御方法を提供する。【解決手段】プリエンファシスを送信機に指示する前に、各チャネル（波長）の光信号の光パワーを所定値だけ上下に動かし、チャネル毎に、光パワーが大きい場合のＱ値と小さい場合のＱ値の差が０より大きいか、０以下かを判定する。この判定によって、当該差が０より大きい場合には、当該チャネルが線形領域のチャネル、０以下の場合には、当該チャネルが非線形領域のチャネルであると判断する。そして、プリエンファシスによって各チャネルのＱ値を改善するときは、線形領域のチャネルについては光パワーを増加し、非線形領域のチャネルについては光パワーを減少する。【選択図】　　　図１
2004096242.tif 000002
【特許請求の範囲】
【請求項１】
波長多重光通信システムにおいて、
波長多重光信号に含まれる各チャネルの光信号の光パワーを所定の量だけ上下させ、各チャネルが線形領域のチャネルか非線形領域のチャネルかを判断する非線形領域チャネル判断ステップと、
各チャネルの光信号の受信端でのＱ値を改善する場合、Ｑ値を改善すべきチャネルが線形領域にあるチャネルの場合には、送信側の送信光パワーを増加し、該チャネルが非線形領域にあるチャネルの場合には、送信側の送信光パワーを減少するプリエンファシスステップと、
を備えることを特徴とする方法。
【請求項２】
前記非線形領域チャネル判断ステップにおいては、光パワーを増加した際の受信端でのＱ値が、光パワーを減少した際の受信端でのＱ値より小さい場合、対応するチャネルが非線形領域にあると判断することを特徴とする請求項１に記載の方法。
【請求項３】
前記プリエンファシスステップでは、あるチャネルのＱ値が、波長多重光信号に含まれる全チャネルのＱ値の平均値よりも大きい場合には、該あるチャネルの光パワーを減少することを特徴とする請求項１に記載の方法。
【請求項４】
非線形領域チャネル判断ステップにおける前記所定の量は、光パワーを０．５ｄＢ変化させるものであることを特徴とする請求項１に記載の方法。
【請求項５】
波長多重通信システムにおいて、
波長多重光信号に含まれる各チャネルの光信号の光パワーを所定の量だけ上下させ、光パワーが大きいときの受信端でのＱ値が光パワーが小さいときの受信端でのＱ値より小さいとき、光パワーを変化させたチャネルが非線形領域のチャネルであり、その他の場合は、光パワーを変化させたチャネルが線形領域のチャネルであると判断するステップ
を備えることを特徴とする線形・非線形チャネル判断方法。
【発明の詳細な説明】
【０００１】
【発明の属する技術分野】
本発明は、波長分割多重通信システムにおけるプリエンファシス制御方法に関する。
【０００２】
【従来の技術】
近年、通信回線として光通信ネットワークが実用化されている。特に、高速大容量の通信を行うために、波長分割多重（ＷＤＭ：Ｗａｖｅｌｅｎｇｔｈ　Ｄｉｖｉｓｉｏｎ　Ｍｕｌｔｉｐｌｅｘｉｎｇ）通信システムが光通信の主流をなしている。今後、通信回線の大容量化と高速化はますます加速し、このような通信容量を許容できるシステムの開発が望まれている。
【０００３】
このような中で、ＷＤＭ通信システムの波長多重数を更に多くし、より高速で通信を行うためのシステムが開発されている。このようなＷＤＭ通信システムとして、ＤＷＤＭ（Ｄｅｎｓｅ　Ｗａｖｅｌｅｎｇｔｈ　Ｄｉｖｉｓｉｏｎ　Ｍｕｌｔｉｐｌｅｘｉｎｇ）通信システムが考えられている。従来のＷＤＭ通信システムでは、波長多重数が３２波程度であったものを、ＤＷＤＭ通信システムでは、１００波以上にしようと言う試みがなされている。
【０００４】
このような光通信システムにおいて、送信側で送信した光信号を受信側で正しく受信する必要があるが、これを阻害する要因が光ファイバを利用することに本質的に起因して、生じる。これらは、例えば、波長分散、非線形効果などである。受信側で受信信号を正しく受信するためには、受信信号のＱ値が大きい必要があるが、波長分散や非線形効果により、受信波形が劣化し、Ｑ値が思いの外小さくなってしまうことが生じる。
【０００５】
従って、充分なＱ値を確保するために、従来においては、送信局の光出力を各チャネル毎に調整することによって受信局でのＱ値を均一にする方法が取られていた。特に、従来技術においては、Ｑ値の改善は単純に光出力を上げることによって調整する。
【０００６】
【発明が解決しようとする課題】
近年の信号帯域拡大（１３ｎｍ→３０ｎｍ以上）と信号波長数の増大（３２波長→１００波長以上）によって受信端局におけるＱ値の偏差が拡大している。これに伴い、いくつかのチャネルでは非線形による劣化が生じるようになった。このようなシステムにおいて従来のような方法によるプリエンファシス（光出力を上げることによってＱ値改善を図る）では、非線形劣化を起こしているチャネルは逆にＱ値が劣化してしまう。
【０００７】
また、信号波長数の増大により人間によるマニュアル調整は困難になってきており、
（１）各チャネルが非線形劣化を受けているかどうか。
（２）劣化している場合は、どのような方法でプリエンファシスをすればよいか。
を規格化して自動制御することが望まれる。
【０００８】
本発明の課題は、波長分割多重通信システムにおいて、各波長のプリエンファシスを自動で適切に行うことのできるプリエンファシス制御方法を提供することである。
【０００９】
【課題を解決するための手段】
本発明の方法は、波長多重光通信システムにおいて、波長多重光信号に含まれる各チャネルの光信号の光パワーを所定の量だけ上下させ、各チャネルが線形領域のチャネルか非線形領域のチャネルかを判断する非線形領域チャネル判断ステップと、各チャネルの光信号の受信端でのＱ値を改善する場合、Ｑ値を改善すべきチャネルが線形領域にあるチャネルの場合には、送信側の送信光パワーを増加し、該チャネルが非線形領域にあるチャネルの場合には、送信側の送信光パワーを減少するプリエンファシスステップとを備えることを特徴とする。
【００１０】
本発明によれば、プリエンファシスを行う場合、各チャネルの光信号が非線形領域にあるか線形領域にあるかを自動的に判断し、これに基づいて、適切にプリエンファシスを行うので、多数の波長チャネルが多重された波長多重光信号を送受信するシステムにおいて、自動的にかつ適切にプリエンファシスを行うことができる。
【００１１】
特に、あるチャネルが線形領域のチャネルか非線形領域のチャネルかを判断する方法は、システムがインサービス状態であっても実行可能なので、インサービスのまま自動的にかつ適切にプリエンファシスの制御をすることができる。
【００１２】
【発明の実施の形態】
図１は、送信光出力と受信局でのＱ値の関係を模式的に示した図である。
長距離ＤＷＤＭ（Ｄｅｎｓｅ　Ｗａｖｅｌｅｎｇｔｈ　Ｄｉｖｉｓｉｏｎ　Ｍｕｌｔｉｐｌｅｘｉｎｇ）通信システムにおいて、受信局でのＱ値が一様になるように送信局で１チャネルごとの光出力を調整するプリエンファシスは必要不可欠である。すべてのチャネルが図１の線形領域のみで扱われている従来のシステムでは受信局でのＱ値を参照しながら改善させたいときは送信光出力を上げ、劣化させたいときは光出力を下げることで調整が可能であった。
【００１３】
しかしながら、近年の波長多重数の増加と帯域拡大によって、チャネルによっては非線形領域（光信号が非線形効果などを大きく受ける波長帯域）で扱わざるを得なくなっている。このとき問題となるのが、従来の技術では、受信された光信号が非線形劣化しているかどうかは前もって分からないこと、及び、非線形劣化しているチャネル（波長）を従来の方法でプリエンファシスを行った場合、Ｑ値を改善しようと光出力を上げると逆に劣化してしまうことである。
【００１４】
図２は、従来のプリエンファシス制御方法を説明する図である。
図２（ａ）のように、３波の光信号を多重されて受信されているとする。図２（ａ）では、３波の内、真ん中の波長（チャネル）の光パワーが小さくなっており、Ｑ値が劣化している。そこで、従来では、図２（ｂ）のように、真ん中の波長の光パワーを増加して、受信局で、他の波長の光パワーと同じ光パワーで受信されるようにプリエンファシスをおこなう。しかし、上述したように、長距離ＤＷＤＭ通信システムでは、いくつかのチャネルは非線形領域で使用せざるをえないので、上記のようなプリエンファシスを非線形領域にある光信号に施すと、かえってＱ値が劣化してしまう。
【００１５】
そこで本発明の実施形態では、まずインサービス中でも、そのチャネルが非線形劣化しているかどうかを見極め、非線形劣化している場合は、従来とは違う方法でプリエンファシスを行う。
【００１６】
まず、本実施形態の方法では、問題の光信号が非線形領域にあるか否か（非線形劣化を受けているか否か）を判断する。この判断の方法は次の通り。
（１）現在のＱ値、光パワーを、それぞれ、Ｑ０、Ｐ０とする。
（２）Ｑ値が大幅に変動しない程度に光パワーを上げる（例えば０．５ｄＢ程度）。そのときのＱ値をＱ（＋）とする。
（３）光パワーをＰ０から（２）と同じ量だけ下げる。そのときのＱ値をＱ（−）とする。
（４）Ｑ（＋）、Ｑ（−）を比較して線形、非線形を以下のように判定する。
Ｑ（＋）−Ｑ（−）＞０：非線形劣化は受けていない。
Ｑ（＋）−Ｑ（−）≦０：非線形劣化を受けている。
【００１７】
本実施形態では、上記判断に基づいて、以下のようにプリエンファシスを行う。
・非線形劣化していないチャネル：従来通りにＱ値改善を図るときは送信光パワーを上げる。
・非線形劣化しているチャネル：従来とは逆にＱ値改善を図るときは送信光パワーを下げる。
【００１８】
図３は、本発明の実施形態のプリエンファシスを行う装置の構成例を示す図である。
図３において、ＴＸＦは、Ｔｒａｎｓｍｉｔｔｅｒ　ｗｉｔｈ　Ｓｕｐｅｒ−ＦＥＣの略であり、ＲＸＦは、Ｒｅｃｅｉｖｅｒ　ｗｉｔｈ　Ｓｕｐｅｒ−ＦＥＣ、ＴＰＡは、Ｔｒａｎｓｍｉｔ　Ｐｒｅ−ｅｍｐｈａｓｉｓ　Ａｍｐｌｉｆｉｅｒ、ＡＷＧは、Ａｒｒａｙｅｄ　Ｗａｖｅｇｕｉｄｅ　Ｇｒａｔｉｎｇの略である。図３においては、ＡＷＧは、光合波器及び光分波器として使用されている。
【００１９】
図３の通信システムは、プリエンファシス制御側端局１０、海底伝送区間１２、及び対向局１１からなっている。プリエンファシス制御側端局１０と対向局１１の構成は、基本的には同じであるが、プリエンファシス制御側端局１０には、プリエンファシス制御部１３が設けられている。
【００２０】
送信機１４は、波長多重する数の分だけ設けられ、ＴＸＦ（ｍ）（ｍ＝１〜ｎ）とＴＰＡ（ｍ）（ｍ＝１〜ｎ）からなっている。ＴＸＦ（ｍ）は、所定の波長の光信号を生成し、送出する装置であり、特に、この場合には、光信号のフレームに誤り訂正符号であるＦＥＣのオーバヘッドを取り付けて送信するものである。ＴＰＡ（ｍ）は、プリエンファシスを行う増幅器であり、各波長の光送信パワーを調整する装置である。ＴＸＦ（ｍ）とＴＰＡ（ｍ）からなる送信機１４から送信された、各波長の光信号は、波長合波器として機能するＡＷＧ１６−１によって合波され、プリアンプ１７−１に入力される。プリアンプ１７−１は、海底伝送区間を光信号が伝搬することによる光パワーの減衰を考慮に入れて、受信側で受信可能な程度まで波長多重光信号の光パワーを増幅する。
【００２１】
プリアンプ１７−１によって増幅された波長多重光信号は、海底伝送区間において、光ファイバを伝搬し、光ファイバ伝送路の途中に設けられている中継器１８−１によって中継され、対向局１１まで送り届けられる。対向局１１では、受信した波長多重光信号をポストアンプ１９−１で増幅し、波長分波器として機能するＡＷＧ２０−１に入力する。ＡＷＧ２０−１では、波長多重された光信号を各波長の光信号に分波し、受信機２３であるＲＸＦ（ｍ）（ｍ＝１〜ｎ）で各波長の光信号毎に受信する。ＲＸＦ（ｍ）は、誤り訂正符号ＦＥＣを抽出する機能を持っており、光信号に誤りがある場合には、誤りの検出や訂正を行って光信号の受信を行う。
【００２２】
対向局１１からプリエンファシス制御側端局１０に光信号を送る場合も同様であって、送信機２４から各波長の光信号を送信し、光合波器として機能するＡＷＧ２０−２によって各波長の光信号を合波し、プリアンプ１９−２によって増幅して、海底伝送区間１２に光信号を送出する。海底伝送区間１２では、波長多重された光信号は、中継器１８−２によって中継されながら、プリエンファシス制御側端局１０に送り届けられる。プリエンファシス制御側端局１０では、ポストアンプ１７−２で、波長多重光信号を増幅し、光分波器として機能するＡＷＧ１６−２によって波長多重光信号を分波し、各波長用の受信機１５によって受信される。
【００２３】
プリエンファシス制御側端局１０から対向局１１へ、光主信号（送信機１４から送信される光信号）のプリエンファシスする場合、プリエンファシス制御部１３はＴＰＡ（ｍ）に対しては、光パワーの制御を、ＲＸＦ（ｎ）に対してはＱ値の情報の取得を行うよう指示する。ＲＸＦ（ｎ）とのＱ値情報の要求、応答はＴＸＦ（ｎ）またはＴＸＦ”（ｎ）によって光主信号のＦＥＣのオーバヘッド部分に情報を載せて反対局まで伝達する。
【００２４】
従って、プリエンファシス制御部１３の指示により、所定の光パワーで各送信機１４が送信された場合、対向局１１の受信機２３では、各波長の光信号のＱ値を測定し、結果を対向局１１の送信機２４に通知する。送信機２４は、測定されたＱ値を各波長の光信号のＦＥＣのオーバヘッド部分に設定し、光信号をプリエンファシス制御側端局１０に送信する。
【００２５】
プリエンファシス制御側端局１０では、受信機１５がＦＥＣのオーバヘッド部分から取り出した、各波長の光信号の受信側でのＱ値を取り出し、プリエンファシス制御部１３に通知する。プリエンファシス制御部１３は、このＱ値を基に、本発明の実施形態に従ったプリエンファシス制御を行う。
【００２６】
図４は、本発明の実施形態に従ったプリエンファシス制御方法を説明するフローチャートである。
まず、プリエンファシス制御を開始すると、ステップＳ１０において、全チャネルのＱ値を測定する。次に、ステップＳ１１において、測定したＱ値の平均値を計算する。
【００２７】
次に、ステップＳ１２において、全チャネルの状態を確認する。すなわち、ステップＳ１２−１においては、あるチャネルの光パワーを、例えば、０．５ｄＢ上げ、ステップＳ１２−２において、当該チャネルのＱ値すなわち、この場合前述のＱ（＋）を測定し、ステップＳ１２−３において、当該チャネルの光パワーを元に戻す。同様に、ステップＳ１２−４において、あるチャネルについて、光パワーを０．５ｄＢ下げ、そのチャネルのＱ値、すなわち、前述のＱ（−）を測定し、当該チャネルの光パワーを元に戻す。
【００２８】
そして、ステップＳ１２−１〜Ｓ１２−６までを全チャネルについて行い、ステップＳ１２−７において、各チャネル毎に、Ｑ（＋）−Ｑ（−）が０より大きいか、あるいは、０以下かを判断する。Ｑ（＋）−Ｑ（−）が０より大きいチャネルは、線形領域にあるチャネルであると判断する。また、Ｑ（＋）−Ｑ（−）が０以下であるチャネルは、非線形領域にあるチャネルであると判断する。
【００２９】
次に、ステップＳ１３において、各チャネルについて、測定されたＱ値がＱ値の平均値に対して高いか、低いかを判断する。平均値よりも高いと判断された場合には（ステップＳ１４）、線形領域にあるチャネルの場合には、光パワーを下げて、当該チャネルのＱ値をＱ値の平均値に近づけ、非線形領域にあるチャネルの場合には、当該チャネルの光パワーを、線形領域にあるチャネルの光パワーに近づける処理を行う。
【００３０】
ステップＳ１３において、あるチャネルのＱ値が平均値よりも低いと判断された場合には（ステップＳ１５）、ステップＳ１６において、当該チャネルの状態を判断する。当該チャネルが線形領域にあるチャネルである場合には、当該チャネルの光パワーを上げて、Ｑ値の改善を図る。また、当該チャネルが非線形領域にあり、非線形劣化を受けていると判断された場合には、当該チャネルの光パワーを下げて、Ｑ値の改善を図る。
【００３１】
ここで、あるチャネルのＱ値が平均値よりも高い場合、線形領域のチャネルであろうと、非線形領域のチャネルであろうと、光パワーを平均値に近づけるようにしている。これは、Ｑ値が良くなるように、次々と制御していくと、波長多重光信号全体としては、光パワーがだんだん増加する方向に変化していくので、際限なく光パワーが大きくなるのを防ぐために行うものである。
【００３２】
図５は、本発明の実施形態に従ったプリエンファシス制御方法のシーケンスを示す図である。
なお、このシーケンスにおいては、チャネル１（ｃｈ１）が線形領域のチャネル、チャネル２（ｃｈ２）が非線形領域のチャネルであるとする。
【００３３】
まず、プリエンファシス制御部は、対向局の受信機（ＲＸＦ（ｍ））に対し、各チャネルのＱ値の取得を要求する。これにより、全てのチャネル１〜ｎのＱ値であるＱ１〜Ｑ（ｎ）を得る。
【００３４】
次に、Ｑ１〜Ｑ（ｎ）の平均値Ｑａｖｅを算出する。次に、プリエンファシス制御部は、プリエンファシス制御部の送信機のＴＰＡ（ｍ）に対し、チャネル毎に線形領域のチャネルか非線形領域のチャネルかを判断するためのＱ値の取得を指示する。まず、同図のシーケンスにおいては、チャネル１について、プリエンファシス制御部は、ＴＰＡ１に対し、チャネル１の光パワーを上げるように指示する。ＴＰＡ１は、この指示に従って、チャネル１の光パワーを０．５ｄＢ上げる。どのくらい光パワーを上げるかは、当業者によって適宜決定されるべきものである。
【００３５】
プリエンファシス制御部は、ＴＰＡ１が光パワーを上げた後に、対向局のＲＸＦ１に対し、チャネル１のＱ値を要求する。この要求に対し、ＲＸＦ１は、Ｑ値を測定して、プリエンファシス制御部に通知する。これにより、プリエンファシス制御部は、チャネル１のＱ（＋）であるＱ１（＋）を得る。
【００３６】
次に、プリエンファシス制御部は、チャネル１の光パワーを下げるように指示する。ＴＰＡ１では、この指示に基づいて、０．５ｄＢ×２＝１ｄＢだけ、チャネル１の光パワーを下げる。この後、プリエンファシス制御部は、対向局のＲＸＦ１に対し、チャネル１のＱ値を要求する。これにより、プリエンファシス制御部は、チャネル１に対するＱ（−）であるＱ１（−）を得る。
【００３７】
以上の、各チャネルについてＱ（＋）とＱ（−）を得る処理を繰り返し、全チャネルについて当該情報が得られたら、プリエンファシス制御部は、各チャネル毎に、Ｑ（＋）−Ｑ（−）を演算し、これが０より大きいか、０以下かを判断して、各チャネルが線形領域のチャネルか非線形領域のチャネルかを決定する。今の場合、チャネル１が線形領域のチャネル、チャネル２が非線形領域のチャネルであるとしているので、チャネル１のＱ１（＋）−Ｑ１（−）は０より大きく、チャネル２のＱ２（＋）−Ｑ２（−）は０以下となる。
【００３８】
次に、プリエンファシス制御部は、Ｑａｖｅ−Ｑ（ｍ）を演算し、プリエンファシスの指令をＴＰＡ（ｍ）に出す。すなわち、Ｑａｖｅ−Ｑ１＞０である場合には、チャネル１は線形領域のチャネルなので、プリエンファシス制御部は、チャネル１の光パワーを上げる指示をＴＰＡ１に出し、Ｑ値の改善を図る。Ｑａｖｅ−Ｑ２＞０の場合には、チャネル２は非線形領域のチャネルなので、プリエンファシス制御部は、チャネル２の光パワーを下げる指示をＴＰＡ２に出し、Ｑ値の改善を図る。このような制御を、全てのチャネル１〜ｎについて行う。例えば、チャネルｍについて、Ｑａｖｅ−Ｑ（ｍ）＜０であった場合には、ＴＰＡ（ｍ）に光パワーを下げる指示を出す。これは、チャネルｍが線形領域のチャネルの場合には、チャネルｍの光パワーを平均値に近づけてＱ値を改善する意味があり、チャネルｍが非線形領域のチャネルの場合、チャネルｍの光パワーを線形領域のチャネルの光パワーに近づけ、現在得られている、高いＱ値に対して、必要以上に大きな光パワーを小さくするという意味がある。
【００３９】
上記処理において、ＴＰＡ１〜ＴＰＡ（ｎ）がそれぞれ、どれだけ光パワーを上げ下げするかは、プリエンファシス制御部が適宜指示できるように、可変としておく。
【００４０】
以上の処理は、システムがインサービスである場合にも、サービスを提供しながら実行可能なので、インサービスでのプリエンファシスの最適制御を行うことができる。
【００４１】
（付記１）波長多重光通信システムにおいて、
波長多重光信号に含まれる各チャネルの光信号の光パワーを所定の量だけ上下させ、各チャネルが線形領域のチャネルか非線形領域のチャネルかを判断する非線形領域チャネル判断ステップと、
各チャネルの光信号の受信端でのＱ値を改善する場合、Ｑ値を改善すべきチャネルが線形領域にあるチャネルの場合には、送信側の送信光パワーを増加し、該チャネルが非線形領域にあるチャネルの場合には、送信側の送信光パワーを減少するプリエンファシスステップと、
を備えることを特徴とする方法。
【００４２】
（付記２）前記非線形領域チャネル判断ステップにおいては、光パワーを増加した際の受信端でのＱ値が、光パワーを減少した際の受信端でのＱ値より小さい場合、対応するチャネルが非線形領域にあると判断することを特徴とする付記１に記載の方法。
【００４３】
（付記３）前記プリエンファシスステップでは、あるチャネルのＱ値が、波長多重光信号に含まれる全チャネルのＱ値の平均値よりも大きい場合には、該あるチャネルの光パワーを減少することを特徴とする付記１に記載の方法。
【００４４】
（付記４）非線形領域チャネル判断ステップにおける前記所定の量は、光パワーを０．５ｄＢ変化させるものであることを特徴とする付記１に記載の方法。
（付記５）波長多重通信システムにおいて、
波長多重光信号に含まれる各チャネルの光信号の光パワーを所定の量だけ上下させ、光パワーが大きいときの受信端でのＱ値が光パワーが小さいときの受信端でのＱ値より小さいとき、光パワーを変化させたチャネルが非線形領域のチャネルであり、その他の場合は、光パワーを変化させたチャネルが線形領域のチャネルであると判断するステップ
を備えることを特徴とする線形・非線形チャネル判断方法。
【００４５】
（付記６）波長多重光通信システムにおいて、
波長多重光信号に含まれる各チャネルの光信号の光パワーを所定の量だけ上下させ、各チャネルが線形領域のチャネルか非線形領域のチャネルかを判断する非線形領域チャネル判断手段と、
各チャネルの光信号の受信端でのＱ値を改善する場合、Ｑ値を改善すべきチャネルが線形領域にあるチャネルの場合には、送信側の送信光パワーを増加し、該チャネルが非線形領域にあるチャネルの場合には、送信側の送信光パワーを減少するプリエンファシス手段と、
を備えることを特徴とする装置。
【００４６】
（付記７）前記非線形領域チャネル判断手段においては、光パワーを増加した際の受信端でのＱ値が、光パワーを減少した際の受信端でのＱ値より小さい場合、対応するチャネルが非線形領域にあると判断することを特徴とする付記６に記載の装置。
【００４７】
（付記８）前記プリエンファシス手段では、あるチャネルのＱ値が、波長多重光信号に含まれる全チャネルのＱ値の平均値よりも大きい場合には、該あるチャネルの光パワーを減少することを特徴とする付記６に記載の装置。
【００４８】
（付記９）非線形領域チャネル判断手段における前記所定の量は、光パワーを０．５ｄＢ変化させるものであることを特徴とする付記６に記載の装置。
【００４９】
【発明の効果】
本発明により、ＤＷＤＭ通信システムにおけるプリエンファシスを、非線形劣化しているチャネルが存在するシステムにおいても障害無く行うことができる。
【図面の簡単な説明】
【図１】送信光出力と受信局でのＱ値の関係を模式的に示した図である。
【図２】従来のプリエンファシス制御方法を説明する図である。
【図３】本発明の実施形態のプリエンファシスを行う装置の構成例を示す図である。
【図４】本発明の実施形態に従ったプリエンファシス制御方法を説明するフローチャートである。
【図５】本発明の実施形態に従ったプリエンファシス制御方法のシーケンスを示す図である。
【符号の説明】
１０　　　プリエンファシス制御側端局
１１　　　対向局
１２　　　海底伝送区間
１３　　　プリエンファシス制御部
１４、２４　　　送信機
１５、２３　　　受信機
１６−１、１６−２、２０−１、２０−２　　　ＡＷＧ
１７−１、１９−２　　　プリアンプ
１７−２、１９−１　　　ポストアンプ
１８−１、１８−２　　　中継器
【図１】
2004096242.tif 000003
【図２】
2004096242.tif 000004
【図３】
2004096242.tif 000005
【図４】
2004096242.tif 000006
【図５】
2004096242.tif 000007